【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
ポリマーの存在下において、水性アルカリ媒体中の過酸化化合物を用いて前記古紙を処理する段階、
を含んでなる古紙の脱インキ方法であって、
前記方法は、最大７のｐＨを有するポリマー溶液状の前記ポリマーを導入し、そしてマレイン酸又はイタコン酸とのアクリル酸及び／又はメタクリル酸のコポリマーであるポリカルボキシレートポリマーの状態のＣａ結合ポリマーを含む第一のポリマー（Ａ）と、ポリ−α−ヒドロキシアクリル酸若しくはその塩又は対応するポリラクトンを含む第二のポリマー（Ｂ）とを含み、
前記方法は、少なくとも１種の非イオン性界面活性剤、又は非イオン性界面活性剤及び脂肪酸若しくはその塩の少なくとも１種の組み合わせを用いて前記古紙を処理して、インク分離及び／又はインク除去を促進する段階をさらに含む。
【請求項２】
前記Ｃａ結合ポリマーが、粗ポリカルボキシレートポリマー（Ａ）の状態にある、請求項１に記載の方法。
【請求項３】
Ｃａ−結合粗ポリカルボキシレートポリマー（Ａ）が、アクリル酸及び／又はメタクリル酸を、マレイン酸又はイタコン酸と共重合させることで得られた粗コポリマーを含み、
前記粗コポリマーが、７未満のｐＨを有する、
請求項２に記載の方法。
【請求項４】
前記ポリマー溶液が、最大６のｐＨを有する、請求項１〜３のいずれか一項に記載の方法。
【請求項５】
前記第一のポリマー（Ａ）が、少なくとも４０００の分子量を有し、そして前記第二のポリマー（Ｂ）が、少なくとも５０００の分子量を有する、請求項１〜４のいずれか一項に記載の方法。
【請求項６】
前記第一のポリマー（Ａ）において、アクリル酸及び／又はメタクリル酸：マレイン酸及び／又はイタコン酸のモル比が、８０：２０〜２０：８０である、請求項１〜５のいずれか一項に記載の方法。
【請求項７】
前記第二のポリマー（Ｂ）の占有率が、前記第一のポリマー（Ａ）及び前記第二のポリマー（Ｂ）の総量の１〜５０重量％である、請求項１〜６のいずれか一項に記載の方法。
【請求項８】
前記ポリマー（Ａ）及び前記ポリマー（Ｂ）の量が、乾燥古紙パルプの０．０１〜０．５重量％である、請求項１〜７のいずれか一項に記載の方法。
【請求項９】
前記ポリマー（Ａ）及びポリマー（Ｂ）の溶液の添加ポイントが、前記過酸化化合物及びアルカリ化合物の添加ポイントに近い、請求項１〜８のいずれか一項に記載の方法。
【請求項１０】
前記ポリマー（Ａ）及び前記ポリマー（Ｂ）の存在下における水性媒体中の過酸化化合物を用いた処理が、パルパー及び／又は漂白段階において実施される、請求項１〜９のいずれか一項に記載の方法。
【請求項１１】
前記非イオン性界面活性剤、あるいは前記非イオン性界面活性剤及び脂肪酸又はその塩の組み合わせを用いた処理を、パルパー中で実施し、次いで、１回又は２回以上の浮選段階及び／又は洗浄段階を行う、請求項１〜１０のいずれか一項に記載の方法。
【請求項１２】
前記非イオン性界面活性剤、あるいは前記非イオン性界面活性剤及び脂肪酸又はその塩の組み合わせを用いた処理を、１回又は２回以上の浮選段階及び／又は洗浄段階において実施する、請求項１〜１１のいずれか一項に記載の方法。
【請求項１３】
前記非イオン性界面活性剤、あるいは前記非イオン性界面活性剤及び脂肪酸又はその塩の組み合わせを用いた処理を、パルパーと、１回又は２回以上の浮選段階及び／又は洗浄段階との両方において実施し、
ここで、前記パルパーと、前記浮選段階及び／又は洗浄段階とにおいて用いられる前記非イオン性界面活性剤、あるいは非イオン性界面活性剤及び脂肪酸又はその塩の組み合わせが、同一又は異なることができる、
請求項１〜１２のいずれか一項に記載の方法。
【請求項１４】
前記非イオン性界面活性剤及び脂肪酸又はその塩の組み合わせが、最大５０重量％の前記脂肪酸又はその塩を含む、請求項１〜１３のいずれか一項に記載の方法。
【請求項１５】
少なくとも１回の過酸化物漂白段階、次いで、脂肪酸又はその塩、あるいは前記非イオン性界面活性剤、又は非イオン性界面活性剤及び脂肪酸若しくはその塩の組み合わせの存在下で実施される、１回又は２回以上の浮選段階及び／又は洗浄段階を行う、請求項１〜１４のいずれか一項に記載の方法。
【請求項１６】
前記１回又は２回以上の浮選段階及び／又は洗浄段階が、当該脱インキ方法で用いられる界面活性剤の総量の９０重量％以下の量において、脂肪酸又はその塩の存在下で実施される、請求項１５に記載の方法。
【請求項１７】
前記非イオン性界面活性剤が、次の一般式：
【化１】
2008502812.tif 000001
（式中、Ｒは、Ｃ５〜Ｃ２１の炭素原子数を有する脂肪酸アルキル基であり、
ｎは、平均エチレンオキシド単位数であり、そして５〜１００であり、そして
ｍは、平均プロピレンオキシド単位数であり、そして０〜３０である。）
の脂肪酸誘導体を含む、請求項１〜１６のいずれか一項に記載の方法。
【請求項１８】
前記非イオン性界面活性剤が、次の一般式：
【化２】
2008502812.tif 000002
（式中、Ｒは、Ｃ５〜Ｃ２１の炭素原子数を有する脂肪アルコールアルキル基であり、
ｎは、平均エチレンオキシド単位数であり、そして５〜１００であり、そして
ｍは、平均プロピレンオキシド単位数であり、そして０〜３０である。）
の脂肪アルコール誘導体を含む、請求項１〜１６のいずれか一項に記載の方法。
【請求項１９】
前記非イオン性界面活性剤、あるいは前記非イオン性界面活性剤及び前記脂肪酸又はその塩の組み合わせの総量が、乾燥古紙の０．００１〜１．５重量％である、請求項１〜１８のいずれか一項に記載の方法。
【請求項２０】
前記古紙が、本質的に上質の混合オフィス古紙（ＭＯＷ）並びに／又は中質の古新聞印刷用紙（ＯＮＰ）及び／若しくは古雑誌（ＯＭＧ）を含む再生紙である、請求項１〜１９のいずれか一項に記載の方法。
【請求項２１】
前記古紙が、本質的に上質の混合オフィス古紙（ＭＯＷ）を含む再生紙であり、
前記方法が、
前記非イオン性界面活性剤、あるいは非イオン性界面活性剤及び脂肪酸又はその塩の組み合わせの存在下で、パルパー中で前記ＭＯＷを処理する段階、
インク除去用の浮選及び／又は洗浄を行う段階、そしてその後
前記第一のポリマー（Ａ）及び前記第二のポリマー（Ｂ）の存在下において、水性アルカリ媒体中で過酸化化合物を用いて漂白する段階、
を含む、
請求項１〜２０のいずれか一項に記載の方法。
【請求項２２】
前記古紙が、本質的に上質の混合オフィス古紙（ＭＯＷ）を含む再生紙であり、そして
前記方法が、乾燥パルプの１０重量％未満の低灰分含有率を有する脱インキパルプを製造する、
請求項１〜２１のいずれか一項に記載の方法。
【請求項２３】
前記古紙が、中質の古新聞印刷用紙（ＯＮＰ）及び／又は古雑誌（ＯＭＧ）を含む再生紙であり、
前記方法が、前記第一のポリマー（Ａ）と、前記第二のポリマー（Ｂ）と、前記非イオン性界面活性剤あるいは非イオン性界面活性剤及び脂肪酸又はその塩の組み合わせとの存在下で、水性アルカリ媒体中の過酸化化合物を用いて、パルパー中で前記ＯＮＰ及び／又はＯＭＧを処理する段階、
インク除去用の１回又は２回以上の浮選段階及び／又は洗浄段階、そして
随意選択的な前記第一のポリマー（Ａ）及び前記第二のポリマー（Ｂ）の存在下、そして／又はジチオニットを用いて、水性アルカリ媒体中で過酸化化合物を用いる随意選択的な漂白段階、
を含む、請求項１〜２０のいずれか一項に記載の方法。
【請求項２４】
第一の過酸化物漂白段階、次いで
１回又は２回以上の浮選段階及び／又は洗浄段階、そして
第二の漂白段階、
を含む、請求項１〜２３のいずれか一項に記載の方法。
【手続補正２】
【補正対象書類名】明細書
【補正対象項目名】００３５
【補正方法】変更
【補正の内容】
【００３５】
本発明によると、非イオン性界面活性剤か、あるいは非イオン性界面活性剤及び脂肪酸又はその塩の組み合わせを用いた処理を、パルパー中で実施することができ、続いて、１回又は２回以上の浮選段階及び／又は洗浄段階を行う。
本発明によると、非イオン性界面活性剤、あるいは非イオン性界面活性剤及び脂肪酸又はその塩の組み合わせを用いた処理を、１回又は２回以上の浮選段階及び／又は洗浄段階において実施することができる。
【手続補正３】
【補正対象書類名】明細書
【補正対象項目名】００３６
【補正方法】変更
【補正の内容】
【００３６】
本発明によると、非イオン性界面活性剤、あるいは非イオン性界面活性剤及び脂肪酸又はその塩の組み合わせを用いた処理を、パルパー並びに１回又は２回以上の浮選段階及び／又は洗浄段階の両方で実施することができ、上記パルパー並びに浮選段階及び／又は洗浄段階中で用いられる非イオン性界面活性剤、あるいは非イオン性界面活性剤及び脂肪酸又はその塩の組み合わせは、同一又は異なることができる。
上記非イオン性界面活性剤及び脂肪酸又はその塩の組み合わせは、最大５０重量％の上記脂肪酸又はその塩を含むことが好ましい。
【手続補正４】
【補正対象書類名】明細書
【補正対象項目名】００３７
【補正方法】変更
【補正の内容】
【００３７】
本発明の上記方法の実施形態の一つは、脂肪酸若しくはその塩、又は非イオン性界面活性剤、あるいは、非イオン性界面活性剤と脂肪酸若しくはその塩との組み合わせの存在下で、少なくとも１回の過酸化物漂白段階、続いて、１回又は２回以上の浮選段階及び／又は洗浄段階を含む。好ましくは、上記浮選及び／又は洗浄段階を、上記脱インキ方法で用いられる界面活性剤の総量の約９０重量％以下の量で、脂肪酸又はその塩の存在下で実施する。
【手続補正５】
【補正対象書類名】明細書
【補正対象項目名】００４６
【補正方法】変更
【補正の内容】
【００４６】
上記古紙が、中質の古新聞印刷用紙（ＯＮＰ）及び／又は古雑誌（ＯＭＧ）を含む再生紙である場合、上記方法には、
上記第一のポリマー（Ａ）及び第二のポリマー（Ｂ）、並びに上記非イオン性界面活性剤、あるいは非イオン性界面活性剤及び脂肪酸又はその塩の組み合わせの存在下で、水性アルカリ媒体中の過酸化化合物を用いて、パルパー中のＯＮＰ及び／又はＯＭＧを処理する段階、
インク除去のための１回又は２回以上の浮選段階及び／又は洗浄段階、そして
随意選択的に、上記第一のポリマー（Ａ）及び上記第二のポリマー（Ｂ）の存在下で、そして／又はジチオニットと共に、水性アルカリ媒体中の過酸化化合物を用いて随意選択的に漂白する段階、
が含まれることが好ましい。
【手続補正６】
【補正対象書類名】明細書
【補正対象項目名】００４７
【補正方法】変更
【補正の内容】
【００４７】
本発明の方法は、第一の過酸化物漂白段階、続いて、１回又は２回以上の浮選段階及び／又は洗浄段階、そして第二の漂白段階（好ましくは、還元的漂白段階、例えば、亜ジチオン酸ナトリウム漂白段階又はホルムアミジンスルフィン酸ナトリウム段階）を含むことができる。